(57)【要約】      （修正有）【課題】場板を長手方向に連結する装置を提供する。【解決手段】複数の足場板の相互において、連結部材2の係止ピン6を前進させることにより被連結部材3の係止孔10に挿入係止する連結装置において、係止ピン6は、軸部14の姿勢を規制軸支手段により所定軸線Xに沿うように規制された状態でスプリング13により前進方向に付勢され、スプリング13に抗して後退させることにより規制を解除したとき、傾動案内手段25により所定軸線Xに対して所定方向に傾動可能とされ、所定方向に傾動した状態でスプリング13により前進方向に付勢されたとき、係止ピン6の先端部を後退保持手段26に係止することにより保持されるように構成している。【選択図】図９
2015175178.tif 000002
【特許請求の範囲】
【請求項１】
足場板の長手方向の一端部に延設した連結壁(5a)に該長手方向に交差する方向に進退自在な係止ピン(6)を設けると共に、他端部に延設した被連結壁(9a)に係止孔(10)を設け、
複数の足場板の相互において、前記係止ピン(6)を前進させることにより該係止ピンの先端部を前記係止孔(10)に挿入係止し、前記係止ピンを後退させることにより該係止ピンの先端部を前記係止孔(10)から離脱させるように構成した足場板の連結装置において、
前記係止ピン(6)は、ブラケット(12)に保持されると共に、スプリング(13)により前進方向に付勢されており、
前記ブラケット(12)は、前記係止ピン(6)の姿勢を前記係止孔(10)に向かう所定軸線(X)に沿うように規制した状態で進退自在に支持する規制軸支手段(22)と、前記係止ピンを前記スプリング(13)に抗して後退させることにより前記規制を解除したとき、前記所定軸線(X)に対して係止ピンを所定方向に傾動可能とする傾動案内手段(25)を備えており、
前記傾動状態で前記スプリング(13)により前進方向に付勢される係止ピン(6)の先端部を係脱自在に係止する後退保持手段(26)を設けて成ることを特徴とする足場板の連結装置。
【請求項２】
足場板の長手方向の一端部に上面板(4)と側面板(5)を備えた連結部材(2)を固設し、前記上面板(4)の下側に前記ブラケット(12)を設け、前記側面板(4)により前記連結壁(5a)を形成しており、
前記ブラケットに進退自在に保持された前記係止ピン(6)の尾端部に操作部(15)を設けると共に、前記上面板(4)に前記操作部(15)に臨む操作窓口(24)を開設して成ることを特徴とする請求項１に記載の足場板の連結装置。
【請求項３】
前記ブラケット(12)は、前記係止ピンの軸方向に離間して配設される第１壁(16)と第２壁(17)を設け、前記第１壁(16)を前記連結壁(5a)の内側に対向して配置すると共に、該第１壁(16)と連結壁(5a)の間に臨む延長壁(18)を備えており、
前記第２壁(17)に前記係止ピンの軸部(14)を挿通する軸支孔(20)を設けると共に、前記延長壁(18)の端部(18a)を前記係止ピンの軸部(14)に臨ませることにより前記規制軸支手段(22)を構成し、
前記第１壁(16)に前記係止ピンの軸部(14)を挿通させる長孔(21)を形成することにより前記傾動案内手段(25)を構成し、前記係止ピンの先端部を前記延長壁(18)の端部(18a)から後退させ脱出させたとき、該長孔(21)により係止ピン(6)の傾動方向を案内するように構成し、
前記延長壁(18)の内側面(18b)により前記後退保持手段(26)を構成し、傾動状態で前記スプリング(13)により前進方向に付勢される係止ピン(6)の先端部を係止するように構成して成ることを特徴とする請求項１又は２に記載の足場板の連結装置。
【請求項４】
足場板の長手方向の両端部にそれぞれ前記連結壁(5a)を備えた連結部材(2)と前記被連結壁(9a)を備えた被連結部材(3)を固設し、前記連結壁(5a)と被連結壁(9a)を相互に上下から嵌合自在とする嵌合手段(11)を構成して成ることを特徴とする請求項１、２又は３に記載の足場板の連結装置。
【請求項５】
相互に嵌合された連結壁(5a)と被連結壁(9a)の間に離間空間(S)を形成すると共に、被連結壁(9a)の係止孔(10)を足場板の長手方向に延びる長孔により形成して成ることを特徴とする請求項４に記載の足場板の連結装置。
【発明の詳細な説明】
【技術分野】
【０００１】
本発明は、長尺の足場板を長手方向に連結するための装置であり、例えば、シールド工法によるトンネル掘削工事や、建築工事又は土木工事等の工事現場において作業者の通路を形成するために使用する足場板の連結装置に関する。
【背景技術】
【０００２】
従来、長尺の足場板を長手方向に連結するため、足場板の両端部に連結部材と被連結部材を設け、敷設される複数の足場板の相互において、連結部材と被連結部材をピンやボルト等の固着手段により着脱自在に固着する装置が提案されている。
【先行技術文献】
【特許文献】
【０００３】
【特許文献１】特開２０００−３３６９２４号公報
【特許文献２】登録実用新案第３０２７６８８号公報
【発明の概要】
【発明が解決しようとする課題】
【０００４】
多数の足場板により作業用の長い通路を形成するためには、多数の個所で足場板を連結する必要がある。また、工事終了等により目的を達した後、足場板を解体して撤去するためには、多数の個所で足場板の連結を解除する必要がある。そして、このような足場板を着脱自在に連結する連結装置を提供する際は、連結作業及び分離作業を簡単容易に行うことができるように構成することが重要となる。また、連結状態において、堅固な連結構造が得られ、しかも、トンネル等の場合には、カーブに沿う通路を形成することができるように構成する必要がある。
【０００５】
この点に関して、従来提案されている足場板の連結装置は、上記のニーズに十分に応えておらず、未解決の多くの課題を有している。
【課題を解決するための手段】
【０００６】
本発明は、上記のニーズに応えることができる足場板の連結装置を提供するものであり、その手段として構成したところは、足場板の長手方向の一端部に延設した連結壁に該長手方向に交差する方向に進退自在な係止ピンを設けると共に、他端部に延設した被連結壁に係止孔を設け、複数の足場板の相互において、前記係止ピンを前進させることにより該係止ピンの先端部を前記係止孔に挿入係止し、前記係止ピンを後退させることにより該係止ピンの先端部を前記係止孔から離脱させるように構成した足場板の連結装置において、前記係止ピンは、ブラケットに保持されると共に、スプリングにより前進方向に付勢されており、前記ブラケットは、前記係止ピンの姿勢を前記係止孔に向かう所定軸線に沿うように規制した状態で進退自在に支持する規制軸支手段と、前記係止ピンを前記スプリングに抗して後退させることにより前記規制を解除したとき、前記所定軸線に対して係止ピンを所定方向に傾動可能とする傾動案内手段を備えており、前記傾動状態で前記スプリングにより前進方向に付勢される係止ピンの先端部を係脱自在に係止する後退保持手段を設けて成る点にある。
【０００７】
本発明の好ましい実施形態は、足場板の長手方向の一端部に上面板と側面板を備えた連結部材を固設し、前記上面板の下側に前記ブラケットを設け、前記側面板により前記連結壁を形成しており、前記ブラケットに進退自在に保持された前記係止ピンの尾端部に操作部を設けると共に、前記上面板に前記操作部に臨む操作窓口を開設している。
【０００８】
この際、前記ブラケットは、前記係止ピンの軸方向に離間して配設される第１壁と第２壁を設け、前記第１壁を前記連結壁の内側に対向して配置すると共に、該第１壁と連結壁の間に臨む延長壁を備えており、前記第２壁に前記係止ピンの軸部を挿通する軸支孔を設けると共に、前記延長壁の端部を前記係止ピンの軸部に臨ませることにより前記規制軸支手段を構成し、前記第１壁に前記係止ピンの軸部を挿通させる長孔を形成することにより前記傾動案内手段を構成し、前記係止ピンの先端部を前記延長壁の先端から後退させ脱出させたとき、該長孔により係止ピンの傾動方向を案内するように構成し、前記延長壁の内側面により前記後退保持手段を構成し、傾動状態で前記スプリングにより前進方向に付勢される係止ピンの先端部を係止するように構成することが好ましい。
【０００９】
更に、連結作業を容易にするためには、足場板の長手方向の両端部にそれぞれ前記連結壁を備えた連結部材と前記被連結壁を備えた被連結部材を固設し、前記連結壁と被連結壁を相互に上下から嵌合自在とする嵌合手段を構成することが好ましい。
【００１０】
連結された足場板により、カーブに沿う通路を形成するためには、相互に嵌合された連結壁と被連結壁の間に離間空間を形成すると共に、被連結壁の係止孔を足場板の長手方向に延びる長孔により形成することが好ましい。
【発明の効果】
【００１１】
請求項１に記載の本発明によれば、隣り合う足場板１、１の間において、連結部材２と被連結部材３を連結する場合、予め、係止ピン６を後退させた状態で後退保持手段２６により保持することができるので、作業者が指先等で係止ピン６を保持することは必要でなく、連結壁５ａと被連結壁９ａを相互に連結可能状態とする準備作業を容易に行うことができる。そして、連結可能とした状態で、後退保持された係止ピン６は、単に押動するだけで、後退保持手段２６から脱し、直ちに、規制軸支手段２２により所定軸線Ｘに沿うように姿勢を保持すると共にスプリング１３により前進するので、簡単かつ迅速な作業で、正確に該係止ピン６の先端部を被連結壁９ａの係止孔１０に挿通させることができ、迅速な連結作業を可能にする。
【００１２】
また、連結状態とされた連結部材２と被連結部材３を分離する場合は、係止ピン６を後退させると共に傾動し、後退保持手段２６により保持させれば良く、簡単な作業により、係止ピン６が係止孔１０から脱して連結を解除した状態で保持されるので、作業者が指先等で係止ピン６を保持することは必要でなく、簡単容易かつ迅速に連結部材２と被連結部材３を分離することができる。
【００１３】
請求項２に記載の本発明によれば、係止ピン６の後退と傾動の作業は、連結部材２の上面板４に設けられた操作窓口２４から作業者の指先を挿入し、操作部１５をスプリング１３に抗して引き寄せると共に、操作部１５を下向きに押動することにより、簡単容易に行うことが可能となる。
【００１４】
請求項３に記載の本発明によれば、請求項１に記載のような連結装置を簡単な構造で実現することが可能であり、構造的にも堅牢な連結装置を提供することができる。
【００１５】
請求項４に記載の本発明によれば、連結部材２と被連結部材３は、相互に上下方向から連結壁５ａと被連結壁９ａを嵌合自在とする嵌合手段１１を構成しているので、連結に際して、地面等に敷設した足場板１の被連結部材３に対して、連結すべき足場板１の連結部材２を上方から臨ませ、下降させることにより被連結部材３に嵌合することが可能であり、連結作業を容易に行うことができる。また、連結の解除に際して、長手方向に列設された多数の足場板１のうち、所望の中間位置に敷設された足場板１の連結装置を連結解除し、持ち上げることにより分離させることができる。
【００１６】
請求項５に記載の本発明によれば、連結状態において、連結壁５ａと被連結壁９ａの間に離間空間Ｓが形成され、係止ピン６を挿通する係止孔１０により足場板１の長手方向に延びる長孔が形成されているので、連結状態で列設された足場板１を相互に屈折させることが可能であり、トンネルの掘削工事現場等において曲折する通路を好適に形成することができる。
【図面の簡単な説明】
【００１７】
【図１】本発明の連結装置を備えた足場板を示す斜視図である。
【図２】複数の足場板の相互に対向させられた連結部材と被連結部材を示す斜視図である。
【図３】複数の足場板の相互に連結された連結部材と被連結部材を示す斜視図である。
【図４】連結装置により連結された状態でカーブ状の通路を形成した足場板を示す平面図である。
【図５】連結部材とブラケットと係止ピンを分解状態で示す斜視図である。
【図６】連結部材の係止ピンが所定軸線に沿って配置された状態を示す横断面図である。
【図７】図６のＡ−Ａ線断面図である。
【図８】連結部材の係止ピンが後退状態で傾動保持された状態を示す横断面図である。
【図９】図８のＢ−Ｂ線断面図であり、連結部材と被連結部材を対向させた状態を示す断面図である。
【図１０】連結装置により連結部材と被連結部材を連結する作用を示しており、係止ピンを傾動保持された状態から連結方向に作動させる方法を示す断面図である。
【図１１】係止ピンにより連結部材と被連結部材を連結した状態を示す断面図である。
【図１２】連結装置により連結された連結部材と被連結部材を示す横断面図である。
【図１３】本発明の連結装置における後退保持手段の別の実施形態を示す断面図である。
【図１４】本発明の連結装置における嵌合手段の別の実施形態を示す断面図である。
【発明を実施するための形態】
【００１８】
以下図面に基づいて本発明の好ましい実施形態を詳述する。
【００１９】
（全体的構成）
図１ないし図３に示すように、足場板１は、長手方向の一端部に連結部材２を固設し、他端部に被連結部材３を固設している。
【００２０】
前記連結部材２は、金属板の折曲により、上面板４と、該上面板４の両側縁から垂下された側面板５、５を備え、下向きに開口する断面コ字形に形成されており、前記側面板５により連結壁５ａを構成し、上面板４の下側に、足場板１の長手方向に交差する方向に進退自在な係止ピン６を含む連結作動機構７を設けている。
【００２１】
前記被連結部材３は、金属板の折曲により、下面板８と、該下面板８の両側縁から起立された側面板９、９を備え、上向きに開口する断面コ字形に形成されており、前記側面板９、９により被連結壁９ａを構成し、該被連結壁９ａに足場板１の長手方向に延びる長孔により形成された係止孔１０を設けている。
【００２２】
従って、上下に開口する断面コ字形に形成された連結部材２と被連結部材３は、相互に上下方向から対向して開口状に形成されることにより、前記連結壁５ａと被連結壁９ａを上下から嵌合自在とする嵌合手段１１を構成する。
【００２３】
これにより、連結に際しては、図２に示すように、地面等に敷設した足場板１の被連結部材３に対して、連結すべき足場板１の連結部材２を上方から臨ませ、下降させることにより被連結部材３に嵌合することにより連結作業を行うことができるので、作業が容易となる。
【００２４】
また、解体に際しては、図４に示すように長手方向に列設された多数の足場板１を端から順に解体することが可能なだけでなく、所望の中間位置に敷設された足場板１の連結装置を連結解除し、持ち上げることにより、足場板の列を中途で分離させることができるので、解体作業が容易となる。
【００２５】
しかも、このように中途での分離が可能であるから、解体のみならず、分離した足場の列を移動させ、作業用通路の位置を変更することも容易となる。
【００２６】
しかしながら、本発明において、嵌合手段１１は、必ずしも上下から嵌合される構成に限定されるものではなく、例えば、プラグとソケットのような軸方向から嵌合する構成を採用しても良い。
【００２７】
前記嵌合に際して、連結部材２の係止ピン６を後退させた後、前進させ、被連結部材３の係止孔１０に挿通させることにより、図３に示すように連結部材２と被連結部材３が相互に堅固に連結される。
【００２８】
連結状態において、前記連結壁５ａと被連結壁９ａの間には、後述する離間空間Ｓ（図１１参照）が形成され、係止ピン６を挿通する係止孔１０は、足場板１の長手方向に延びる長孔を形成しているので、図４及び図１２に示すように、相互に連結された状態で列設された足場板１は、所望の半径Ｒでカーブするように連結部材２と被連結部材３を相互に屈折させることが可能であり、トンネルの掘削工事現場等において曲折する通路を好適に形成することができる。
【００２９】
（連結作動機構の構成）
図５並びに図６及び図７に示すように、前記連結作動機構７は、それぞれコ字形に折曲形成された一対の係止ピン６、６と、各係止ピン６を進退自在に保持するブラケット１２と、各係止ピン６を前進方向に付勢するスプリング１３を備えている。
【００３０】
前記係止ピン６は、平行に延びる一対の軸部１４、１４と、該軸部１４、１４を連結する尾端部の操作部１５を備え、前記軸部１４にスプリング１３を外挿しており、該スプリング１３の一端部をピン又は止め輪等の係止手段１３ａにより軸部１４に固定している。
【００３１】
前記ブラケット１２は、金属板を上向きに開口する断面コ字形に折曲形成され、上下方向の壁面を形成する第１壁１６と第２壁１７を平行に配置し、前記第１壁１６の上縁部を外側に折返し垂下することにより、延長壁１８を形成しており、第１壁１６及び第２壁１７の上部に水平方向の取付座１９を設けている。
【００３２】
前記第２壁１７には、前記係止ピン６の軸部１４、１４を保持状態で挿通する軸支孔２０、２０が形成され、前記第１壁１６には、前記軸部１４、１４を傾動可能に挿通させる上下方向に延びる長孔２１、２１が形成されている。
【００３３】
そこで、図６及び図７に示すように、係止ピン６の各軸部１４、１４は、先端部から軸支孔２０と長孔２１に挿通され、スプリング１３を第１壁１６と第２壁１７の間に介装される。この状態で、係止ピン６の軸部１４は、前記延長壁１８の端部１８ａに臨ませられ、該軸部１４の姿勢を連結壁５ａに直交する所定軸線Ｘに沿うように規制されている。つまり、軸部１４は、前記延長壁１８の先端１８ａに当接又は近接した状態で交差することにより、前記軸支孔２０と同心位置に配置された長孔２１の下側部分の孔部に保持され、上下方向の傾動を阻止されている。これにより、延長壁１８の先端１８ａが軸部１４の姿勢を所定軸線Ｘに沿って保持する規制軸支手段２２を構成しており、従って、軸部１４は、所定軸線Ｘに沿ってのみ進退自在に支持され、スプリング１３により前進方向に付勢されている。
【００３４】
図例の場合、スプリング１３は、コニカル状に巻回されたコイルスプリングにより構成され、小径コイル部を前記係止手段１３ａに係止すると共に、大径コイル部を第２壁１７の内側面に弾接させている。従って、常時は、スプリング１３を圧縮した状態で係止手段１３ａを第１壁１６の内側面に当接させており、該係止手段１３ａと共に係止ピン６を後退方向に移動したとき、更に圧縮される。
【００３５】
図６及び図７に示すように、前記ブラケット１２は、係止ピン６の軸部１４が連結部材２の側面板５（連結壁５ａ）に直交するように配置され、前記取付座１９を上面板４の下面にリベット等の固着具により固着される。この際、前記第１壁１６が前記連結壁５ａの内側に対向し、前記延長壁１８が第１壁１６と連結壁５ａの間に臨むように配置される。これにより、連結壁５ａと延長壁１８の間には、被連結部材２の被連結壁９ａを嵌入させる嵌入空間Ｐが形成される。
【００３６】
図示実施形態の場合、前記連結部材２の連結壁５ａには、前記スプリング１３により前進する係止ピン６の軸部１４、１４の先端部を挿通させる挿通孔２３が設けられている。また、前記上面板４には、係止ピン６、６の操作部１５、１５に臨む操作窓口２４、２４が開設されている。
【００３７】
（連結作動機構の作用）
上述のように係止ピン６は、前記軸支孔２０に保持状態で挿通され、前記延長壁１８の先端１８ａにより構成された規制軸支手段２２により、所定軸線Ｘに沿ってのみ進退自在に支持されているが、図８及び図９に示すように、係止ピン６をスプリング１３に抗して後退方向に移動させると、軸部１４の先端部が延長壁１８の先端１８ａから内側に移動して外れることにより、前記規制が解除される。
【００３８】
この規制解除により、軸部１４は、軸支孔２０に挿通保持された部分を支点として、長孔２１に沿って先端部を上向きとするように傾動自在とされる。つまり、長孔２１により、係止ピン６の軸部１４を前記所定軸線Ｘに対して所定方向に傾動可能とする傾動案内手段２５が構成されている。
【００３９】
そこで、図９に矢印で示すように、作係止ピン６を後退させると共に傾動させた状態で、該係止ピン６をスプリング１３により前進方向に付勢すると、軸部１４の先端部が延長壁１８の内側面１８ｂに弾接し、傾動姿勢を保持した状態で係止される。つまり、延長壁１８の内側面１８ｂにより、係止ピン６を後退姿勢かつ傾動姿勢とされた状態で係脱自在に係止する後退保持手段２６が構成されている。
【００４０】
上記のような係止ピン６の後退と傾動の作業は、連結部材２の上面板４に設けられた操作窓口２４から作業者の指先を挿入し、操作部１５をスプリング１３に抗して引き寄せると共に、操作部１５を下向きに押動することにより、簡単容易に行うことができる。
【００４１】
図示実施形態の場合、連結作動機構７は、係止ピン６及びスプリング１３とブラケット１２により構成された一対のユニットを左右対称に設けているので、作業者は、片手で一対のユニットを構成する係止ピン６、６の操作部１５、１５を握持することにより、左右の係止ピン６、６を同時に後退させ傾動させることができ、操作が容易である。
【００４２】
尚、連結部材２と被連結材３を連結するため、係止ピン６を所定軸線Ｘに沿う姿勢に戻す際は、前記操作窓口２４から挿入した指先で、操作部１５を引き上げれば良く、係止ピン６は、延長壁１８の内側面１８ｂ（後退保持手段２６）から脱するや否や、該延長壁１８の先端１８ａ（規制軸支手段２２）を摺動して横切ることにより、所定軸線Ｘに沿う姿勢を保持し、スプリング１３により前進させられ、軸部１４の先端部を連結壁５ａの挿通孔２３に進入させられる。
【００４３】
（足場板の連結方法）
列設される足場板１、１の連結部材２と被連結部材３を連結する場合は、図９に示すように、操作部１５を介して係止ピン６を後退させると共に傾動し、後退保持手段２６により保持させた状態として、連結部材２を被連結部材３の上方に臨ませると共に下降させると、図１０に示すように、前記連結部材２の連結壁５ａの内側に形成した嵌入空間Ｐに被連結壁９ａの上端部が進入させられ、連結部材２と被連結部材３が相互に嵌合され、連結壁５ａの挿通孔２３と被連結壁９ａの係止孔２３が連通状態で合致する。
【００４４】
この状態で、図１０に矢印で示すように、操作部１５を介して係止ピン６を押動することにより軸部１４の先端部を後退保持手段２６から脱出させると、係止ピン６は、規制軸支手段２２により所定軸線Ｘに沿うように姿勢を規制されるや否や、スプリング１３により前進させられ、図１１に示すように、軸部１４を被連結壁９ａの係止孔１０と連結壁５ａの挿通孔２３に挿通し、連結部材２と被連結部材３の連結が完了する。
【００４５】
相互に嵌合状態で連結された連結部材２と被連結部材３は、連結壁５ａと被連結壁９ａの間に、図１１に示すような離間空間Ｓを形成しており、しかも、係止ピン６の軸部１４を挿通した係止孔１０により足場板１の長手方向に延びる長孔を形成しているので、図１２に示すように、連結部材２と被連結部材３を横向きに屈折させることができる。その結果、図４に示すように、連結状態で列設された多数の足場板１を連結部分で屈折させることにより、トンネルの掘削工事現場等において必要とされる曲折した通路を好適に形成することが可能である。
【００４６】
このように、隣り合う足場板１、１の連結部材２と被連結部材３を連結する場合、予め、係止ピン６を後退させた状態で後退保持手段２６により保持することができるので、作業者が指先等で係止ピン６を保持することは必要でなく、連結壁５ａと被連結壁９ａを相互に連結可能状態とする準備作業を容易に行うことができる。そして、連結可能とした状態で、後退保持された係止ピン６は、単に押動するだけで、後退保持手段２６から脱し、直ちに、規制軸支手段２２により所定軸線Ｘに沿うように姿勢を保持すると共にスプリング１３により前進するので、簡単かつ迅速な作業で、正確に該係止ピン６の先端部を被連結壁９ａの係止孔１０に挿通させることができ、迅速な連結作業を可能にする。
【００４７】
（足場板の連結解除方法）
連結状態とされた連結部材２と被連結部材３を分離する場合は、上記と逆の方法を行えば良い。即ち、操作部１５を介して係止ピン６を後退させると共に傾動し、後退保持手段２６により保持させれば良い。このような簡単な作業により、係止ピン６は、係止孔１０から脱することにより連結を解除した状態で保持されるので、作業者が指先等で係止ピン６を保持することは必要でなく、簡単容易かつ迅速に連結部材２と被連結部材３を上下方向に離反させることができる。
【００４８】
（後退保持手段の別の実施形態）
図１３は、上記後退保持手段２６の別の実施形態を示しており、ブラケット１２の第２壁１７に設けた軸支孔２０に保持状態で挿通された係止ピン６の軸部１４に対して、延長壁１８を下方から臨むように設けており、該延長壁１８の先端１８ａにより規制軸支手段２２を構成し、該延長壁１８の内側面１８ｂにより後退保持手段２６を構成している。従って、図示鎖線で示すように、係止ピン６は、軸部１４の姿勢を所定軸線Ｘに沿わせた状態で、第２壁１７の軸支孔２０と同心位置に配置された第１壁１６の長孔２１の上側部分の孔部に保持され、前記規制軸支手段２２により上下方向の傾動を阻止される。
【００４９】
図１３に実線で示すように、係止ピン６は、スプリング１３に抗して後退方向に移動させると、前記規制軸支手段２２による規制が解除され、長孔２１により構成された傾動案内手段２５により傾動可能とされる。そこで、係止ピン６の先端部が下向きとなるように傾動すると、前記後退保持手段２６により、傾動姿勢を保持した状態で係止される。
【００５０】
この実施形態によれば、係止ピン６を後退保持手段２６から脱出させる際、作業者が操作窓口２４から挿入した指先等で操作部１５を下向きに押し込むだけで良いので、連結作業のための作業性が向上する。
【００５１】
（嵌合手段の別の実施形態）
図１４は、上記嵌合手段１１の別の実施形態を示しており、嵌合手段１１は、被連結部材３の被連結壁９ａ、９ａを連結部材２の連結壁５ａ、５ａの外側面に沿って嵌合するように構成している。その他の構成は、上述した実施形態と同様である。
【００５２】
（その他の実施形態）
本発明が上記実施形態に限定されないことは勿論であり、例えば、上記実施形態では、１個のブラケット１２により、軸支孔２０と、傾動案内手段２５を構成する長孔２１と、規制軸支手段２２及び後退保持手段２６を構成する延長壁１８を設けた実施例を示したが、これらの技術的構成を別々の部材に設けるように構成しても良い。その他、種々の実施形態や設計変更が可能である。
【符号の説明】
【００５３】
１  足場板
２  連結部材
３  被連結材
４  上面板
５  側面板
５ａ  連結壁
６  係止ピン
７  連結作動機構
８  下面板
９  側面板
９ａ  被連結壁
１０  係止孔
１１  嵌合手段
１２  ブラケット
１３  スプリング
１３ａ  係止手段
１４  軸部
１５  操作部
１６  第１壁
１７  第２壁
１８  延長壁
１８ａ  先端
１８ｂ  内側面
１９  取付座
２０  軸支孔
２１  長孔
２２  規制軸支手段
２３  挿通孔
２４  操作窓口
２５  傾動案内手段
２６  後退保持手段
【図１】
2015175178.tif 000003
【図２】
2015175178.tif 000004
【図３】
2015175178.tif 000005
【図４】
2015175178.tif 000006
【図５】
2015175178.tif 000007
【図６】
2015175178.tif 000008
【図７】
2015175178.tif 000009
【図８】
2015175178.tif 000010
【図９】
2015175178.tif 000011
【図１０】
2015175178.tif 000012
【図１１】
2015175178.tif 000013
【図１２】
2015175178.tif 000014
【図１３】
2015175178.tif 000015
【図１４】
2015175178.tif 000016